(57)【要約】【課題】  床に対し複数の床暖房マットを互いに並設するように設置するときの設置作業が容易にできるようにする。【解決手段】  床暖房マット１０が、建物１の床４上に敷設可能とされ、その上面に沿って形成された溝１１を有する発泡樹脂製のマット本体１２と、溝１１に嵌入されるチューブ１３とを備える。このチューブ１３が、溝１１に嵌入されるチューブ本体１６と、このチューブ本体１６の各端部からマット本体１２の外方にまで延出する一対のチューブ延出部１７，１８とを備える。熱源器１９から供給される温水２２を両チューブ延出部１７，１８のうち、一方のチューブ延出部１７からチューブ本体１６を通し他方のチューブ延出部１８に向けて流動可能とさせる。チューブ延出部１７，１８をその径方向で嵌入可能とさせる嵌入通路をマット本体１２に形成する。【選択図】    図１
2005283035.tif 000002
【特許請求の範囲】
【請求項１】
建物の床上に敷設可能とされ、上面に沿って形成された溝を有する発泡樹脂製のマット本体と、上記溝に嵌入されるチューブとを備え、このチューブが、上記溝に嵌入されるチューブ本体と、このチューブ本体の各端部から上記マット本体の外方にまで延出する一対のチューブ延出部とを備え、熱源器から供給される温水を上記両チューブ延出部のうち、一方のチューブ延出部から上記チューブ本体を通し他方のチューブ延出部に向けて流動可能とさせた床暖房マットにおいて、
上記チューブ延出部をその径方向で嵌入可能とさせる嵌入通路を上記マット本体に形成したことを特徴とする床暖房マット。
【請求項２】
上記床暖房マットの平面視で、上記嵌入通路を、上記溝の外側方に形成し、かつ、上記マット本体の外端縁に沿って延びるよう形成したことを特徴とする請求項１に記載の床暖房マット。
【請求項３】
上記嵌入通路を下方に向かって開口する溝形状としたことを特徴とする請求項１、もしくは２に記載の床暖房マット。
【請求項４】
上記嵌入通路を上方に向かって開口させたことを特徴とする請求項１から３のうちいずれか１つに記載の床暖房マット。
【請求項５】
上記マット本体の外端縁の一部に切り欠きを形成し、上記チューブ本体の各端部から上記各チューブ延出部への遷移部を上記切り欠きに配置し、上記嵌入通路の端部を上記切り欠きに開口させたことを特徴とする請求項１から４のうちいずれか１つに記載の床暖房マット。
【発明の詳細な説明】
【技術分野】
【０００１】
本発明は、建物の床上に敷設可能とされる発泡樹脂製のマット本体と、このマット本体の上面側に取り付けられて温水を流動可能とさせるチューブとを備えた床暖房マットに関するものである。
【背景技術】
【０００２】
上記床暖房マットには、従来、下記特許文献１に示されるものがある。この公報のものによれば、上記床暖房マットは、建物の床上に敷設可能とされ、その上面に沿って形成された溝を有する発泡樹脂製のマット本体と、上記溝に嵌入されるチューブとを備えている。また、このチューブは、上記溝に嵌入されるチューブ本体と、このチューブ本体の各端部から上記マット本体の外方にまで延出する一対のチューブ延出部とを備え、熱源器から供給される温水が上記両チューブ延出部のうち、一方のチューブ延出部から上記チューブ本体を通し他方のチューブ延出部に向けて流動可能とされている。
【０００３】
そして、建物における床暖房装置において、複数枚の上記床暖房マットが上記床上に並設され、これら床暖房マットの上面に絨毯や木製のフローリングなどの床表面材が敷設され、上記各チューブ延出部の各延出端部が上記熱源器に連結されている。この場合、一般に、上記各床暖房マットは、その各マット本体の各外端縁同士が互いに接合する状態で並設され、上記各チューブ延出部は、それぞれ上記床をその下方に向けて貫通した後、その延出端部が上記熱源器に連結されている。また、上記各チューブ延出部は、床の下方で無用な放熱が生じないよう保温材で被覆されている。
【０００４】
上記床暖房装置により、室内の暖房をする場合には、上記熱源器から床暖房マットにおける一方のチューブ延出部に高温（４０―８０℃）の温水を供給する。すると、この温水は上記一方のチューブ延出部の延出端部から上記各チューブを流動し、他方のチューブ延出部の延出端部に達し、その後、上記熱源器に戻される。
【０００５】
そして、上記各チューブにおける温水の流動中に、この温水の熱が上記床表面材との間で熱交換されて、この床表面材が暖められ、もって、上記室内の暖房が可能とされている。
【０００６】
【特許文献１】特開平８−１１００６０号公報
【発明の開示】
【発明が解決しようとする課題】
【０００７】
ところで、上記従来の技術では、溝にチューブ本体を嵌入させた各マット本体の設置作業と上記各チューブ延出部の設置作業とは、床によって上下に分断されており、このため、上記各床暖房マット１０の設置作業が煩雑となっている。
【０００８】
しかも、上記各チューブ延出部１７に対し、床の下方の狭いところで保温材を被覆する作業も必要であることから、上記各床暖房マット１０の設置作業が更に煩雑となっている。
【課題を解決するための手段】
【０００９】
本発明は、上記のような事情に注目してなされたもので、本発明の目的は、床に対し複数の床暖房マットを互いに並設するように設置するときの設置作業が容易にできるようにすることである。
【００１０】
請求項１の発明は、建物１の床４上に敷設可能とされ、上面に沿って形成された溝１１を有する発泡樹脂製のマット本体１２と、上記溝１１に嵌入されるチューブ１３とを備え、このチューブ１３が、上記溝１１に嵌入されるチューブ本体１６と、このチューブ本体１６の各端部から上記マット本体１２の外方にまで延出する一対のチューブ延出部１７，１８とを備え、熱源器１９から供給される温水２２を上記両チューブ延出部１７，１８のうち、一方のチューブ延出部１７から上記チューブ本体１６を通し他方のチューブ延出部１８に向けて流動可能とさせた床暖房マットにおいて、
上記チューブ延出部１７，１８をその径方向で嵌入可能とさせる嵌入通路２４を上記マット本体１２の下面に形成したものである。
【００１１】
請求項２の発明は、請求項１の発明に加えて、上記床暖房マット１０の平面視で、上記嵌入通路２４を、上記溝１１の外側方に形成し、かつ、上記マット本体１２の外端縁に沿って延びるよう形成したものである。
【００１２】
請求項３の発明は、請求項１、もしくは２の発明に加えて、上記嵌入通路２４を下方に向かって開口する溝形状としたものである。
【００１３】
請求項４の発明は、請求項１から３のうちいずれか１つの発明に加えて、上記嵌入通路２４を上方に向かって開口させたものである。
【００１４】
請求項５の発明は、請求項１から４のうちいずれか１つの発明に加えて、上記マット本体１２の外端縁の一部に切り欠き２６を形成し、上記チューブ本体１６の各端部から上記各チューブ延出部１７，１８への遷移部２８を上記切り欠き２６に配置し、上記嵌入通路２４の端部を上記切り欠き２６に開口させたものである。
【００１５】
なお、この項において、上記各用語に付記した符号は、本発明の技術的範囲を後述の「実施例」の項や図面の内容に限定解釈するものではない。
【発明の効果】
【００１６】
本発明による効果は、次の如くである。
【００１７】
請求項１の発明は、建物の床上に敷設可能とされ、上面に沿って形成された溝を有する発泡樹脂製のマット本体と、上記溝に嵌入されるチューブとを備え、このチューブが、上記溝に嵌入されるチューブ本体と、このチューブ本体の各端部から上記マット本体の外方にまで延出する一対のチューブ延出部とを備え、熱源器から供給される温水を上記両チューブ延出部のうち、一方のチューブ延出部から上記チューブ本体を通し他方のチューブ延出部に向けて流動可能とさせた床暖房マットにおいて、
上記チューブ延出部をその径方向で嵌入可能とさせる嵌入通路を上記マット本体に形成している。
【００１８】
このため、上記床暖房マットを床上に敷設する場合、上記各チューブ延出部を上記嵌入通路に嵌入させれば、その分、上記各チューブ延出部を床の下方に向けて貫通させる作業が不要になる。
【００１９】
よって、上記溝にチューブ本体を嵌入させた各マット本体の設置作業と上記各チューブ延出部の設置作業とのほとんどが、共に上記床上にてできることから、上記各設置作業が、床によって上下に分断されていた従来の技術に比べて、上記各床暖房マットの設置作業は、より容易にできることとなる。
【００２０】
しかも、上記各チューブ延出部は、上記マット本体に形成された嵌入通路に嵌入されるのであって、上記各チューブ延出部が床の下方に設置されていた従来の技術に比べて、上記各チューブ延出部を流動する温水の熱は上記室内の暖房に十分に寄与することとなる。このため、上記各チューブ延出部を保温材で被覆する作業は不要であり、よって、その分、上記各床暖房マットの設置作業は更に容易となる。
【００２１】
請求項２の発明は、上記床暖房マットの平面視で、上記嵌入通路を、上記溝の外側方に形成し、かつ、上記マット本体の外端縁に沿って延びるよう形成している。
【００２２】
このため、上記床暖房マットの平面視で、上記溝と嵌入通路とが互いに重なり合うことが防止され、上記溝と嵌入通路とが重なり合うことによる上記マット本体の部分的な強度低下の発生が防止される。
【００２３】
請求項３の発明は、上記嵌入通路を下方に向かって開口する溝形状としている。
【００２４】
このため、上記マット本体の外端縁側の下面も上記床の上面に接合して、この床に支持されることから、上記嵌入通路を形成した場合でも、上記マット本体の外端縁側の強度低下は抑制される。
【００２５】
請求項４の発明は、上記嵌入通路を上方に向かって開口させている。
【００２６】
このため、上記嵌入通路に嵌入された各チューブ延出部は、上記マット本体を介することなく、上記室内に対し、より直接的に配置される。よって、上記各チューブ延出部を流動する温水の熱は上記室内の暖房に、より効果的に寄与することとなって、熱効率上、極めて有益である。
【００２７】
請求項５の発明は、上記マット本体の外端縁の一部に切り欠きを形成し、上記チューブ本体の各端部から上記各チューブ延出部への遷移部を上記切り欠きに配置し、上記嵌入通路の端部を上記切り欠きに開口させている。
【００２８】
このため、上記溝に嵌入されたチューブ本体の各端部から、上記嵌入通路に嵌入された各チューブ延出部に至る各遷移部は上記切り欠き内に配置でき、上記各遷移部が上記マット本体の外側方に突出するということが防止される。
【００２９】
よって、複数枚の床暖房マットを上記床上に並設させるとき、隣り合う両床暖房マットの各マット本体の外端縁は、上記各遷移部に邪魔されることなく、互いに接合させることができ、上記各マット本体の外端縁同士の間に空間が生じるということを防止できる。
【発明を実施するための最良の形態】
【００３０】
本発明の床暖房マットに関し、床に対し複数の床暖房マットを互いに並設するように設置するときの設置作業が容易にできるようにする、という目的を実現するため、本発明を実施するための最良の形態は、次の如くである。
【００３１】
即ち、床暖房マットが、建物の床上に敷設可能とされ、その上面に沿って形成された溝を有する発泡樹脂製のマット本体と、上記溝に嵌入されるチューブとを備えている。また、このチューブが、上記溝に嵌入された部分であるチューブ本体と、このチューブ本体の各端部から上記マット本体の外方にまで延出する一対のチューブ延出部とを備えている。そして、熱源器から供給される温水が上記両チューブ延出部のうち、一方のチューブ延出部から上記チューブ本体を通し他方のチューブ延出部に向けて流動可能とさせられている。
【００３２】
上記チューブ延出部をその径方向で嵌入可能とさせる嵌入通路が上記マット本体に形成されている。
【実施例１】
【００３３】
本発明をより詳細に説明するために、その実施例１を添付の図１―３に従って説明する。
【００３４】
図において、符号１は建物で、この建物１は、地面２上に設置された基礎３と、この基礎３上に設置された床４と、この床４上に設定される壁５とを備え、上記床４の下方が床下空間６とされ、上記床４の上方が室内７とされている。
【００３５】
上記室内７を暖房するための床暖房装置９が設けられている。この床暖房装置９は複数の床暖房マット１０を有し、この床暖房マット１０は、上記建物１の床４の上面に沿って互いに並設されるよう敷設されている。上記各床暖房マット１０は、その上面に沿って屈曲するよう形成された断面Ｕ字形状の溝１１を有する断熱性マット本体１２と、上記溝１１に対し屈曲されながら嵌入されて上記マット本体１２に取り付けられる樹脂製のチューブ１３と、上記マット本体１２の上面に貼り付けられて上記チューブ１３の上面と接合するアルミニウム製の熱伝導用フィルム１４とを備えている。上記各床暖房マット１０の上記マット本体１２は発泡樹脂である発泡ポリスチレン製であり、それぞれ平面視で矩形状をなす平板形状とされているが、その寸法は互いに相違している。
【００３６】
上記床暖房装置９は、上記マット本体１２の上面側に敷設される絨毯や木製のフローリングなどの床表面材１５を備え、上記フィルム１４は、上記溝１１からのチューブ１３の離脱を防止すると共に、上記チューブ１３内の温水２２の熱を上記床表面材１５側に、より均一に分散させて熱伝導させるように働く。
【００３７】
上記床暖房マット１０における各チューブ１３は、それぞれ上記溝１１に嵌入された部分であるチューブ本体１６と、このチューブ本体１６の各端部から上記マット本体１２の外方にまで延出する一対のチューブ延出部１７，１８とを備え、屋外に設置された給湯器である熱源器１９に、上記各チューブ延出部１７，１８の延出端部が連結されている。上記熱源器１９から供給される温水２２は、上記両チューブ延出部１７，１８のうち、一方のチューブ延出部１７から上記チューブ本体１６を通し他方のチューブ延出部１８に向けて流動可能とされている。
【００３８】
上記各チューブ延出部１７，１８の複数本を、これらチューブ延出部１７，１８のそれぞれ径方向で嵌入可能とさせる凹形状の嵌入通路２４が上記マット本体１２の下面に形成されている。より具体的には、上記床暖房マット１０の平面視（図２）で、上記嵌入通路２４は、上記溝１１の外側方に形成され、かつ、上記マット本体１２の各外端縁の近傍でこれら各外端縁に沿ってそれぞれ直線的に延びるよう形成され、上記嵌入通路２４は全体として矩形枠形状をなしている。
【００３９】
また、上記嵌入通路２４は、下方に向かって開口する溝形状とされ、複数のチューブ延出部１７，１８が水平方向で並設された状態で上記嵌入通路２４に嵌入可能とされている。
【００４０】
上記床暖房マット１０の平面視で（図２）で、上記マット本体１２の外端縁の一部に矩形状の切り欠き２６が形成され、この切り欠き２６に、上記チューブ本体１６の各端部から上記各チューブ延出部１７，１８への遷移部２８が配置されている。また、上記嵌入通路２４の端部は上記切り欠き２６に開口させられている。
【００４１】
上記各床暖房マット１０のマット本体１２は、上記床４上で互いに並設されるよう敷設されており、隣り合う両床暖房マット１０のマット本体１２の各外端縁は、これら両外端縁の間に隙間が生じないよう互いに接合させられている。
【００４２】
上記床暖房マット１０のうち、第１の床暖房マット１０（Ａ）における一方のチューブ延出部１７が上記熱源器１９の給湯部に連結され、また、上記第１の床暖房マット１０（Ａ）における他方のチューブ延出部１８は、第２の床暖房マット１０（Ｂ）における一方のチューブ延出部１７に連結されている。また、この第２の床暖房マット１０（Ｂ）における他方のチューブ延出部１８は、第３の床暖房マット１０（Ｃ）における一方のチューブ延出部１７に連結され、この第３の床暖房マット１０（Ｃ）における他方のチューブ延出部１８は上記熱源器１９の戻り部に連結されている。つまり、上記各チューブ延出部１７，１８は上記熱源器１９に対し直列の閉回路となるよう連結されている。
【００４３】
上記各チューブ延出部１７，１８の少なくとも各一部分は、各床暖房マット１０のチューブ本体１６を互いに連結させる上で都合のよい位置の各嵌入通路２４に嵌入されている。この場合、隣り合う両床暖房マット１０，１０のうち、一方の床暖房マット１０の嵌入通路２４と他方の床暖房マット１０の嵌入通路２４とに跨るように上記各チューブ延出部１７，１８の一部を配置させるとき、上記マット本体１２の端縁部に予め形成してある切り欠き状の連通路３０、もしくは、現場加工により切り欠き加工することにより形成される連通路３０に対し、上記各チューブ延出部１７，１８の上記一部が嵌入させられる。この場合、上記マット本体１２は発泡樹脂製であるため、上記加工は容易にできる。
【００４４】
図３中一点鎖線で示すように、上記嵌入通路２４は上記マット本体１２の上面に形成してもよく、上記した嵌入通路２４は上方に向かって開口する溝形状をなしている。なお、上記嵌入通路２４は、図示しないが、上記マット本体１２の側面に形成される溝形状のものであってもよい。
【００４５】
上記床暖房装置９により、室内７の暖房をする場合には、上記熱源器１９から上記第１の床暖房マット１０（Ａ）における一方のチューブ延出部１７に温水２２を供給する。すると、この温水２２は上記第１の床暖房マット１０（Ａ）の一方のチューブ延出部１７の延出端部から上記各チューブ１３を流動して、上記第３の床暖房マット１０（Ｃ）の他方のチューブ延出部１８の延出端部に達し、その後、上記熱源器１９に戻される。
【００４６】
そして、上記各チューブ１３における上記温水２２の流動中に、この温水２２の熱が上記各チューブ１３とフィルム１４とを通し、上記床表面材１５側に、より均一に分散されて熱伝導し、これにより、上記温水２２の熱が上記床表面材１５との間で熱交換されて、この床表面材１５が暖められ、もって、上記室内７の暖房が可能とされる。
【００４７】
また、上記熱交換の後、上記熱源器１９に達した温水２２は、ここで、再び加熱されて、上記したのと同様に再び上記各チューブ１３に供給される。以下、上記のように温水２２が循環させられて、室内７の暖房が続けられる。
【００４８】
上記構成によれば、チューブ延出部１７，１８をその径方向で嵌入可能とさせる嵌入通路２４を上記マット本体１２に形成している。
【００４９】
このため、上記床暖房マット１０を床４上に敷設する場合、上記各チューブ延出部１７，１８を上記嵌入通路２４に嵌入させれば、その分、上記各チューブ延出部１７，１８を床４の下方に向けて貫通させる作業が不要になる。
【００５０】
よって、上記溝１１にチューブ本体１６を嵌入させた各マット本体１２の設置作業と上記各チューブ延出部１７，１８の設置作業とのほとんどが、共に上記床４上にてできることから、上記各設置作業が、床によって上下に分断されていた従来の技術に比べて、上記各床暖房マット１０の設置作業は、より容易にできることとなる。
【００５１】
しかも、上記各チューブ延出部１７，１８は、上記マット本体１２に形成された嵌入通路２４に嵌入されるのであって、上記各チューブ延出部１７，１８が床の下方に設置されていた従来の技術に比べて、上記各チューブ延出部１７，１８を流動する温水２２の熱は上記室内７の暖房に十分に寄与することとなる。このため、上記各チューブ延出部１７，１８を保温材で被覆する作業は不要であり、よって、その分、上記各床暖房マット１０の設置作業は更に容易となる。
【００５２】
また、前記したように、床暖房マット１０の平面視で、上記嵌入通路２４を、上記溝１１の外側方に形成し、かつ、上記マット本体１２の外端縁の近傍でこの外端縁に沿って延びるよう形成している。
【００５３】
このため、上記床暖房マット１０の平面視（図２）で、上記溝１１と嵌入通路２４とが互いに重なり合うことが防止され、上記溝１１と嵌入通路２４とが重なり合うことによる上記マット本体１２の部分的な強度低下の発生が防止される。
【００５４】
よって、上記床表面材１５の各部が上記床暖房マット１０により互いに均一な強度で支持されて、上記床表面材１５の一部の剛性が低下するということは、より確実に防止される。
【００５５】
また、前記したように、嵌入通路２４を下方に向かって開口する溝形状としている。
【００５６】
このため、上記マット本体１２の外端縁側の下面も上記床４の上面に接合して、この床４に支持されることから、上記嵌入通路２４を形成した場合でも、上記マット本体１２の外端縁側の強度低下は抑制される。
【００５７】
また、前記したように、上記嵌入通路２４を上方に向かって開口させている。
【００５８】
このため、上記嵌入通路２４に嵌入された各チューブ延出部１７，１８は、上記マット本体１２を介することなく、上記室内７に対し、より直接的に配置される。よって、上記各チューブ延出部１７，１８を流動する温水２２の熱は上記室内７の暖房に、より効果的に寄与することとなって、熱効率上、極めて有益である。
【００５９】
また、前記したように、マット本体１２の外端縁の一部に切り欠き２６を形成し、上記チューブ本体１６の各端部から上記各チューブ延出部１７，１８への遷移部２８を上記切り欠き２６に配置し、上記嵌入通路２４の端部を上記切り欠き２６に開口させている。
【００６０】
このため、上記溝１１に嵌入されたチューブ本体１６の各端部から、上記嵌入通路２４に嵌入された各チューブ延出部１７，１８に至る各遷移部２８は上記切り欠き２６内に配置でき、上記各遷移部２８が上記マット本体１２の外側方に突出するということが防止される。
【００６１】
よって、複数枚の床暖房マット１０を上記床４上に並設させるとき、隣り合う両床暖房マット１０の各マット本体１２の外端縁は、上記各遷移部２８に邪魔されることなく、互いに接合させることができ、上記各マット本体１２の外端縁同士の間に空間が生じるということを防止できる。
【００６２】
なお、以上は図示の例によるが、上記各床暖房マット１０における各チューブ１３を上記熱源器１９に対し互いに並列に連結してもよい。また、各チューブ本体１６と各チューブ延出部１７，１８の互いの連結などチューブ１３の各部の連結は、一体成形によるものでもよく、適所に設けたコネクタによるものであってもよい。また、上記嵌入通路２４は、上記マット本体１２に形成される貫通孔であってもよい。
【００６３】
以下の図４は、実施例２を示している。この実施例２は、前記実施例１と構成、作用効果において多くの点で共通している。そこで、これら共通するものについては、図面に共通の符号を付してその重複した説明を省略し、異なる点につき主に説明する。また、この実施例における各部分の構成を、本発明の目的、作用効果に照らして種々組み合せてもよい。
【実施例２】
【００６４】
本発明をより詳細に説明するために、その実施例２を添付の図４に従って説明する。
【００６５】
図４において、上記嵌入通路２４は、マット本体１２の下部側の外端縁に沿って形成され、下方に向かって開口すると共に、上記マット本体１２の外側方に向かっても開口している。なお、図示しないが、上記嵌入通路２４は、マット本体１２の上部側の外端縁に沿って形成してもよく、この場合、上記嵌入通路２４は、上方に向かって開口すると共に、上記マット本体１２の外側方に向かっても開口する。
【００６６】
このため、隣り合う両床暖房マット１０，１０の各マット本体１２の嵌入通路２４は互いに連通することから、これら両床暖房マット１０，１０のうち、一方の床暖房マット１０の嵌入通路２４と他方の床暖房マット１０の嵌入通路２４とに跨るように上記各チューブ延出部１７，１８の一部を配置させるとき、この一部の配置が容易にでき、つまり、床４上への各床暖房マット１０の設置作業が容易にできることとなる。
【００６７】
なお、上記したように嵌入通路２４を、マット本体１２の上部側の外縁部に沿って形成すれば、前記図３中一点鎖線で示した構成から生じる効果と同様の効果が生じる。
【図面の簡単な説明】
【００６８】
【図１】実施例１を示し、床上に敷設した複数の床暖房マットの側面図である。
【図２】実施例１を示し、複数の床暖房マットの簡略平面図である。
【図３】実施例１を示し、図２の３‐３線矢視断面図である。
【図４】実施例２を示し、図３に相当する図である。
【符号の説明】
【００６９】
１    建物
４    床
６    床下空間
７    室内
９    床暖房装置
１０  床暖房マット
１１  溝
１２  マット本体
１３  チューブ
１４  フィルム
１５  床表面材
１６  チューブ本体
１７  チューブ延出部
１８  チューブ延出部
１９  熱源器
２２  温水
２４  嵌入通路
２６  切り欠き
２８  遷移部
３０  連通路
【図１】
2005283035.tif 000003
【図２】
2005283035.tif 000004
【図３】
2005283035.tif 000005
【図４】
2005283035.tif 000006